(57)【要約】【課題】  求職者選定における勤務先企業のシフト調整作業を軽減することができる仲介システムを提供することを目的とする。【解決手段】  求職者端末及び勤務先企業端末とネットワークを介して接続されたサーバであって、求職者及び勤務先企業に関する情報を記憶する記憶手段と、求職者の稼動可能日を含む求職者情報を受信する第１の受信手段と、勤務日と勤務人数を含む勤務条件を受信する第２の受信手段と、受信された勤務条件に一致する求職者を記憶手段から抽出する抽出手段と、抽出された求職者の中から勤務条件に含まれる勤務日と勤務人数から構成される勤務シフトを満たす可能性のある求職者の組合せを抽出された求職者の稼動可能日に基づいて特定する特定手段と、特定された組合せに基づいて抽出された求職者が表示されるように抽出結果を勤務先企業端末へ送信する送信手段と、を備える。【選択図】  図３
2005222333.tif 000002
【特許請求の範囲】
【請求項１】
求職者端末及び勤務先企業端末とネットワークを介して接続されたサーバであって、
求職者及び勤務先企業に関する情報を記憶する記憶手段と、
求職者の稼動可能日を含む求職者情報を前記求職者端末から受信する第１の受信手段と、
前記第１の受信手段より受信された求職者の求職者情報を前記記憶手段に登録する登録手段と、
勤務日と勤務人数を含む勤務条件を前記勤務先企業端末から受信する第２の受信手段と、
前記第２の受信手段より受信された勤務条件に一致する求職者を前記記憶手段から抽出する抽出手段と、
前記抽出手段より抽出された求職者の中から、前記勤務条件に含まれる勤務日と勤務人数から構成される勤務シフトを満たす可能性のある求職者の組合せを前記抽出された求職者の稼動可能日に基づいて特定する特定手段と、
前記特定手段より特定された組合せに基づいて前記抽出された求職者が表示されるように前記抽出結果を前記勤務先企業端末へ送信する送信手段と、
を備えることを特徴とする仲介システム。
【請求項２】
前記記憶手段が前記勤務先企業端末から送信されるジョブ情報を記憶している場合に、当該ジョブ情報を前記抽出結果に含まれる求職者の求職者端末へ配信する配信手段をさらに備えることを特徴とする請求項１記載の仲介システム。
【請求項３】
前記配信手段は、
前記特定手段より特定された組合せに基づいて、前記ジョブ情報を求職者の求職者端末へ配信することを特徴とする請求項２記載の仲介システム。
【請求項４】
前記特定手段は、
前記勤務シフトを満たす可能性のある求職者の組合せが存在するか否かを判断し、存在しないと判断した場合には、前記第２の受信手段より受信された勤務条件を所定の修正条件に従って修正する修正手段をさらに備えることを特徴とする請求項1乃至３いずれか記載の仲介システム。
【請求項５】
前記配信手段が配信したジョブ情報に対する申込を求職者端末において求職者が指示することにより前記求職者端末から送信されるジョブ申込要求を受信する第３の受信手段と、
前記第３の受信手段より受信されたジョブ申込要求の中から、前記勤務シフトを満たすジョブ申込要求の組合せを前記ジョブ申込要求に含まれる稼動申込日に基づいて確定する確定手段と、
を備えることを特徴とする請求項1乃至４いずれか記載の仲介システム。
【請求項６】
求職者端末及び勤務先企業端末とネットワークを介して接続されたサーバであって、
求職者及び勤務先企業に関する情報を記憶する第１の記憶手段と、
出発地及び目的地間の移動時間を記憶する第２の記憶手段と、
求職者の稼動可能日及び住所情報を含む求職者情報を前記求職者端末から受信する第１の受信手段と、
前記第１の受信手段より受信された求職者の求職者情報を前記第１の記憶手段に登録する登録手段と、
勤務日、勤務地及び通勤時間を含む勤務条件を前記勤務先企業端末から受信する第２の受信手段と、
前記求職者情報に含まれる住所情報に対応する出発地及び前記勤務条件に含まれる勤務地に対応する目的地間の移動時間を前記第２の記憶手段から取得する取得手段と、
前記取得手段より取得された移動時間に基づいて、前記第２の受信手段より受信された勤務条件に一致する求職者を前記第１の記憶手段から抽出する抽出手段と、
前記抽出手段より抽出された抽出結果を前記勤務先企業端末へ送信する送信手段と、
前記記憶手段に記憶されたジョブ情報を前記抽出結果に含まれる求職者の求職者端末へ配信する配信手段と、
を備えることを特徴とする仲介システム。
【請求項７】
求職者の稼動可能日情報を含む求職者情報と、勤務先企業の勤務日情報と勤務人数情報を含む勤務先企業情報が予め記憶手段に格納され、
前記稼動可能日情報と前記勤務日情報が照合され、かつ当該照合の結果一致した前記求職者が前記勤務人数情報を満たすように組み合わされ、
前記組み合わせ人数の少ない組から順次配列して前記求職者の情報が出力されることを特徴とする仲介方法。
【請求項８】
前記求職者情報が前記求職者の勤務出発地情報を含み、
前記勤務先企業情報が勤務地情報を含み、
前記照合のとき、前記勤務地出発地情報と前記勤務地情報により特定される移動時間が所定の値よりも短いことを前記結果一致の条件とすることを特徴とする請求項８に記載の仲介方法。
【請求項９】
前記求職者が前記勤務先企業に勤務した場合、
前記求職者の勤務実績を記憶手段に格納することを特徴とする請求項７または８に記載の仲介方法。
【請求項１０】
前記記憶手段に格納された前記勤務実績を参照して、前記求職者に対する対価を算出することを特徴とする請求項９に記載の仲介方法。
【発明の詳細な説明】
【技術分野】
【０００１】
本発明は、勤務先企業と求職者との間を仲介する仲介システムに関し、特に、勤務シフトを備えるジョブを複数の求職者に打診して当該ジョブに対する求職者を確定する場合の勤務先企業の作業を支援することができる仲介システムに関する。
【背景技術】
【０００２】
従来、ネットワークを利用して求職活動や求人活動を行いたいという求職者（主にアルバイト、パートタイム勤務等の一時雇用を求める人材）や勤務先企業の要望を背景に、求職活動や求人活動にかかわる様々なサービスを提供するシステムが開発されている。例えば、特開２００２−４１８５４号公報（特許文献１）には、人材派遣業務に関するシステムが記載されている。
【特許文献１】特開２００２−４１８５４号公報
【発明の開示】
【発明が解決しようとする課題】
【０００３】
ところで、採用対象となる求職者が確定しておらず、ジョブを新聞やWeb等の媒体に掲載して新たに求職者に応募を募る場合、勤務先企業は、実際にどのような求職者がどの程度そのジョブに応募してくるのかを事前に把握することは困難である。よって、ジョブに応募する可能性のある求職者の情報を勤務先企業が事前に把握した上でジョブを求職者に打診することができれば望ましい。
【０００４】
一方、勤務先企業は、実際に応募を受け付けてから採用すべき求職者を選定する作業を開始するところ、対象となるジョブがシフト体制のものである場合には、応募者をシフトにあわせて調整しながら、どの求職者をどの勤務日に合わせて採用すべきか判断しなければならないという問題がある。特に、応募してきた求職者の人数が多かったりスケジュールが重複しているような場合には、シフトの調整作業に多大な時間や労力を要し、かかるシフト調整作業は応募者選定にかかる勤務先企業の負担になっている。
【０００５】
また、求職者の選定において、ジョブの内容によってはジョブを確実に行うことができる求職者を選定する必要性が高まるところ、なるべくジョブ実行の確実性を担保しうるような要素を考慮して求職者を選定したいというニーズがある。
【０００６】
上記課題に鑑み、本発明は、ジョブに応募する可能性のある求職者の情報を勤務先企業が事前に把握した上でジョブを求職者に打診することができる仲介システムを提供することを目的とする。
【０００７】
また、本発明は、求職者選定における勤務先企業のシフト調整作業を軽減することができる仲介システムを提供することを目的とする。
【０００８】
また、本発明は、ジョブ実行の確実性を担保しうるような要素を考慮して求職者を選択することができる仲介システムを提供することを目的とする。
【課題を解決するための手段】
【０００９】
上記課題を解決するための本発明は、求職者端末及び勤務先企業端末とネットワークを介して接続されたサーバであって、求職者及び勤務先企業に関する情報を記憶する記憶手段と、求職者の稼動可能日を含む求職者情報を前記求職者端末から受信する第１の受信手段と、前記第１の受信手段より受信された求職者の求職者情報を前記記憶手段に登録する登録手段と、勤務日と勤務人数を含む勤務条件を前記勤務先企業端末から受信する第２の受信手段と、前記第２の受信手段より受信された勤務条件に一致する求職者を前記記憶手段から抽出する抽出手段と、前記抽出手段より抽出された求職者の中から、前記勤務条件に含まれる勤務日と勤務人数から構成される勤務シフトを満たす可能性のある求職者の組合せを前記抽出された求職者の稼動可能日に基づいて特定する特定手段と、前記特定手段より特定された組合せに基づいて前記抽出された求職者が表示されるように前記抽出結果を前記勤務先企業端末へ送信する送信手段と、を備える。
【００１０】
ここで、「稼動可能日」とは、不特定のジョブについて当該ジョブを実行することが可能な日として求職者が不特定の勤務先企業に開示する日時情報であり、求職者は、当該日時情報に基づくジョブの実行については義務を負わない。
【００１１】
また、前記記憶手段に記憶されたジョブ情報を前記抽出結果に含まれる求職者の求職者端末へ配信する配信手段をさらに備えることを特徴とする。
【００１２】
また、前記配信手段は、前記特定手段より特定された組合せに基づいて、前記ジョブ情報を求職者の求職者端末へ配信することを特徴とする。
【００１３】
さらにまた、前記特定手段は、前記勤務シフトを満たす可能性のある求職者の組合せが存在するか否かを判断し、存在しないと判断した場合には、前記第２の受信手段より受信された勤務条件を所定の修正条件に従って修正する修正手段をさらに備えることを特徴とする。
【００１４】
また、前記配信手段が配信したジョブ情報に対する申込を求職者端末において求職者が指示することにより前記求職者端末から送信されるジョブ申込要求を受信する第３の受信手段と、前記第３の受信手段より受信されたジョブ申込要求の中から、前記勤務シフトを満たすジョブ申込要求の組合せを前記ジョブ申込要求に含まれる稼動申込日に基づいて確定する確定手段と、を備えることを特徴とする。
【００１５】
ここで、「稼動申込日」とは、特定のジョブの実行を希望する日として求職者が特定の勤務先企業に開示する日時情報であり、勤務先企業が当該求職者を採用する旨を指示することにより、求職者は当該日時情報に基づくジョブの実行について義務を負うものである。
【００１６】
また、本発明は、求職者端末及び勤務先企業端末とネットワークを介して接続されたサーバであって、求職者及び勤務先企業に関する情報を記憶する第１の記憶手段と、出発地及び目的地間の移動時間を記憶する第２の記憶手段と、求職者の稼動可能日及び住所情報を含む求職者情報を前記求職者端末から受信する第１の受信手段と、前記第１の受信手段より受信された求職者の求職者情報を前記第１の記憶手段に登録する登録手段と、勤務日、勤務地及び通勤時間を含む勤務条件を前記勤務先企業端末から受信する第２の受信手段と、前記求職者情報に含まれる住所情報に対応する出発地及び前記勤務条件に含まれる勤務地に対応する目的地間の移動時間を前記第２の記憶手段から取得する取得手段と、前記取得手段より取得された移動時間に基づいて、前記第２の受信手段より受信された勤務条件に一致する求職者を前記第１の記憶手段から抽出する抽出手段と、前記抽出手段より抽出された抽出結果を前記勤務先企業端末へ送信する送信手段と、前記記憶手段に記憶されたジョブ情報を前記抽出結果に含まれる求職者の求職者端末へ配信する配信手段と、を備えることを特徴とする。
【００１７】
また、本発明は、求職者端末及び勤務先企業端末とネットワークを介して接続されたサーバによる求職者と勤務先企業間の仲介方法であって、求職者の稼動可能日を含む求職者情報を前記求職者端末から受信する第１の受信工程と、前記受信された求職者の求職者情報を記憶手段に登録する登録工程と、勤務日と勤務人数を含む勤務条件を前記勤務先企業端末から受信する第２の受信工程と、前記受信された勤務条件に一致する求職者を前記記憶手段から抽出する抽出工程と、前記抽出された求職者の中から、前記勤務条件に含まれる勤務日と勤務人数から構成される勤務シフトを満たす可能性のある求職者の組合せを前記抽出された求職者の稼動可能日に基づいて特定する特定工程と、前記特定された組合せに基づいて前記抽出された求職者が表示されるように前記抽出結果を前記勤務先企業端末へ送信する送信工程と、を備える。
【００１８】
上記仲介方法は、コンピュータにより実施することができるが、そのためのコンピュータプログラムは、ＣＤ−ＲＯＭ、磁気ディスク、半導体メモリ及び通信ネットワークなどの各種の媒体を通じてコンピュータにインストールまたはロードすることができる。また、コンピュータプログラムが、ＰＣカードやオプションボードに記録されて流通する場合も含む。
【発明の効果】
【００１９】
本発明によれば、求職者選定における勤務先企業のシフト調整作業を軽減することができる仲介システムを提供することを目的とする。
【発明を実施するための最良の形態】
【００２０】
（仲介システムの構成）
まず、図１乃至図６を用いて、本実施形態の仲介システムの構成について説明する。図１は、本実施形態に係る仲介システムの概略構成を示すブロックダイアグラムである。図２は、本実施形態のサーバの機能構成図を示すブロック図である。図３は、本実施形態に係るサーバのハードウェア構成を示すブロック図である。図４は、本実施形態に係る求職者ＤＢのデータ構成の一例を示す図である。図５は、本実施形態に係るジョブＤＢのデータ構成の一例を示す図である。図６は、本実施形態に係る移動情報ＤＢのデータ構成の一例を示す図である。
【００２１】
図１に示すように、仲介システム１００は、求職者と勤務先企業との間を仲介するサイト運営業者側に設置されたサーバ１、求職者側に設置された求職者端末２、勤務先企業側に設置された勤務先企業端末３、を備え、これらが所定のネットワーク（ＬＡＮ、インターネット、専用線、パケット通信網、それらの組み合わせ等のいずれであってもよく、有線、無線の両方を含む）を介して相互に接続されることにより構成される。
【００２２】
サーバ１は、典型的には、Ｗｅｂサーバやデータベースサーバなどの機能を備え、勤務先企業から提供されるジョブ情報と、求職者から提供される求職者情報と、出発地及び目的地間の移動時間とをデータベースに格納可能に構成されている。サーバ１は、各端末２、３からＨＴＴＰプロトコルに従い送信される所定の要求を受け付けると、この所定の要求に応じた処理を行い、その処理結果を各端末２、３に返信する機能を備える。
【００２３】
一方、求職者端末２及び勤務先企業端末２は、Ｗｅｂブラウザを実装し、求職者や勤務先企業の操作に従って所定の要求をサーバ１に対して送信する。また、求職者には、図示しない無線基地局等を介してサーバ１とデータ通信するための通信機能を備えた携帯端末を保有している。携帯端末は、携帯端末対応のＷｅｂブラウザを実装し、求職者の操作に応じてサーバ１へアクセスすることができる。
【００２４】
ここで、このように構成される仲介システムの概略動作を説明する。サーバ１は、求職者端末２から送信される求職者情報を受信するとこれをデータベースに格納し（個人情報の登録）、勤務先企業端末３から求職者情報の検索条件を受信するとデータベースから検索条件に一致する情報を抽出する。そして、サーバ１は、抽出結果に基づいて勤務先企業のジョブ情報を求職者端末に送信し（ジョブの依頼）、求職者の当該ジョブに対する申込操作に応じて求職者端末２から送信されるジョブ申込要求を受け付けると、これを勤務先企業端末３へ送信する（ジョブの申込）。
【００２５】
サーバ１は、勤務先企業のジョブ申込要求に対する確認操作に応じて求職者のジョブ申込を確定させ、これにより当該ジョブについて勤務先企業と求職者との間で所定の契約が確定する。求職者は、ジョブの実行時に携帯端末を携帯し、この携帯端末から稼動状況報告（ジョブの前日確認、出発報告、到着報告、終了報告など）をサーバ１へ送信し、サーバ１は稼動状況報告に基づいて稼動状態を管理する。
【００２６】
このように、本実施形態に係る仲介システム１００は、勤務先企業からみた場合には、求職者の事前検索、ジョブの配信、求職者の確定、稼動状況の確認および代金の支払、というジョブにかかわる一連の流れをサポートするように構成されている。また、求職者からみた場合には、個人情報の登録、ジョブの受信、ジョブの確定、稼動状況の報告および代金の受取、というジョブにかかわる一連の流れをサポートするように構成されている。
【００２７】
図２は、本実施形態に係るサーバのハードウェア構成を示すブロック図である。サーバ１は、ＣＰＵ、ＲＯＭ、ＲＡＭ、外部記憶装置、ユーザインタフェース、ディスプレイ、プリンタ、および通信インタフェースなどを備える。サーバ１は、各端末（クライアント）から送られてきた命令に対して所定の処理を実行するために必要な性能を備えた汎用のコンピュータを適用することができる。本実施形態では、ＣＰＵが、ＲＯＭ、ＲＡＭ、外部記憶装置などに記憶された所定のプログラムを実行することにより、図３に示す各種機能実現手段として機能する。
【００２８】
図３は、本実施形態のサーバの機能構成図を示すブロック図である。サーバ１は、本発明における主な構成として、勤務先企業と求職者間を仲介する仲介サイトを運営するためにサーバ１の動作全体を制御する制御部４、各種必要な情報を記憶するための記憶部５、求職社端末２及び勤務先企業端末３などと通信を行うための通信部６を備えている。
【００２９】
制御部４は、求職者情報登録手段４０１、求職者検索手段４０２、ジョブ配信手段４０３、ジョブ受信手段４０４、ジョブ申込手段４０５、ジョブ確定手段４０６、稼動報告手段４０７、稼動確認手段４０８、給与支払手段４０９、給与受取手段４１０などを備える。記憶部５は、求職者情報を記憶する求職者ＤＢ５０１、ジョブ情報を記憶するジョブＤＢ５０２、移動情報を記憶する移動情報ＤＢ５０３を備える。
【００３０】
求職者情報登録手段４０１は、求職者端末２からネットワークを介して送信され通信部６によって受信される求職者の求職者情報を求職者ＤＢ５０１に登録する処理を行う。
【００３１】
求職者検索手段４０２は、勤務先企業端末３からネットワークを介して送信され通信部６によって受信される、勤務先企業の求職者に対する検索条件に基づいて求職者ＤＢ５０１を検索し、検索条件に一致する求職者情報を抽出する処理を行う。
【００３２】
また、求職者検索手段４０２は、勤務先企業のシフト調整作業を軽減すべく、検索条件に含まれる勤務日と人数から構成される勤務シフトを満たす可能性のある求職者の組合せを抽出結果から特定する処理を行う。また、求職者検索手段４０２は、特定された組合別に求職者が表示されるように抽出結果データを生成し、通信部６を介して勤務先企業端末３へ送信する処理を行う。
【００３３】
また、求職者検索手段４０２は、ジョブ実行の確実性を担保しうるような要素を考慮して求職者を選択するために、求職者の勤務地までの移動時間を移動情報ＤＢ５０３から取得し、当該取得した移動時間に基づいて検索条件の通勤時間を満たす求職者情報を抽出する。
【００３４】
ジョブ配信手段４０３は、勤務先企業端末３からネットワークを介して送信され通信部６によって受信される勤務先企業のジョブ配信要求に従って、ジョブＤＢ５０２に格納されているジョブデータを求職者の求職者端末２へ配信する処理を行う。ジョブ配信手段４０３は、勤務先企業のジョブデータが生成されていない場合には、勤務先企業からジョブデータを受け付けて、これをジョブＤＢ５０２に登録する処理を行う。
【００３５】
ジョブ申込手段４０５は、求職者端末２が受信したジョブデータに対して求職者が申込操作をした場合に求職者端末２から送信されるジョブ申込要求を、通信部６を介して受信した場合には、これをジョブＤＢ５０２に格納する処理を行う。なお、ジョブ申込手段４０５は、所定の制限に従ってジョブ申込要求を監視し、例えば、ジョブデータ毎に設定されているジョブ申込期限が経過した後はジョブ申込要求を受け付けないように制御する。
【００３６】
ジョブ確定手段４０６は、所定の確定条件に従ってジョブ申込手段４０５が受け付けたジョブ申込要求を確定する処理を行う。ジョブ申込要求の確定とは、ジョブ申込要求の採用または不採用を決定することである。例えば、ジョブ確定手段４０６は、勤務先企業のシフト調整作業を軽減すべく、受け付けたジョブ申込要求の中から当該ジョブの勤務シフトを満たす可能性のある組合せを特定し、この特定した組合せに含まれるジョブ申込要求（求職者）を採用する。なお、ジョブ確定手段４０６は、勤務先企業端末３から送信され通信部６によって受信される申込状況確認要求に従って、随時、ジョブＤＢ５０２に格納されたジョブ申込要求を抽出し勤務先企業端末３へ送信する。また、確定結果を勤務先企業端末３へ送信する。
【００３７】
稼動報告手段４０７は、予め設定された手順に基づく求職者の報告操作に従い求職者端末２から送信される稼動報告情報を、通信部６を介して受信した場合には、当該受信した稼動報告情報をジョブと関連づけてジョブＤＢ５０２に格納する。
【００３８】
稼動確認手段４０８は、求職者端末２から送信される稼動報告情報に従いジョブＤＢ５０２を参照することにより求職者の稼動確認を行う処理を行う。稼動確認とは、ジョブＤＢ５０２に格納されているジョブの稼動に関する設定情報（稼働日、稼動開始時刻、事前確認の期限、現地集合時間など）に従って、求職者が正しく稼動しているか否かを確認する処理である。稼動確認手段４０８は、設定情報に従って求職者が稼動していないと判断した場合（例えば、事前確認の期限が過ぎても事前確認の稼動報告情報が送信されていない場合）には、求職者端末２へメッセージを送信する。
【００３９】
給与支払手段４０９は、ジョブＤＢ５０２に格納されているジョブ情報（時給など）に従って求職者の稼動に対する給与を計算し、計算結果をジョブＤＢ５０２に格納するとともに給与支払指示を行う。
【００４０】
給与受取手段４１０は、給与支払手段４０９の計算結果に基づいて求職者の稼動に対する給与明細等を求職者端末２へ送信する。
【００４１】
次に、求職者情報を記憶する求職者記憶手段としての求職者ＤＢ５０１、ジョブ情報を記憶するジョブ記憶手段としてのジョブＤＢ５０２、移動情報を記憶する移動情報記憶手段としての移動情報ＤＢ５０３について説明する。
【００４２】
図４は、求職者ＤＢ５０１のデータ構成の一例を示す図である。同図に示すように、求職者ＤＢ５０１は、求職者ＩＤ、氏名、稼動可能日、住所、性別、属性、年齢、職歴、遅刻回数、勤怠歴、スキル、ジョブ歴情報、確定／申込中の稼働日、配信ジョブの受信情報等を格納している。各レコードは求職者ＩＤによって一意的に特定される。稼動可能日には、求職者が不特定のジョブについて当該ジョブを実行することが可能な日時として不特定の勤務先企業に開示する日時情報が格納される。具体的には、求職者が指定した、任意の期間（５月１日〜１５日）、任意の日数（５月１日、４日、６日・・・）、任意の日時（５月１日午前６時〜午前１０時、５月２日午前１０時〜午後２時・・・）が格納され、適宜更新される。求職者の位置情報としての住所には、稼動時に求職者が出発地とすべき場所の情報が格納される。典型的には、求職者の住所と利用する駅名やバスの停留所名が格納されるが、これらに限られず、建物や交差点名などを格納してもよい。
【００４３】
氏名、住所、性別、属性、年齢、職歴およびスキルは、求職者より提供され、遅刻回数、勤怠歴、ジョブ歴情報、確定／申込中の稼働日および配信ジョブの受信情報は、サーバ１によって更新される。つまり、求職者が仲介システムに基づくジョブを行った回数に応じてジョブ歴情報は更新され、当該ジョブにおいて遅刻した回数やジョブを休んだ回数などに応じて遅刻回数、勤怠歴が更新される。また、確定／申込中の稼働日には、対象時点で求職者が確定または申込中のジョブの稼働日が格納される。配信ジョブの受信情報には、求職者を指定して送信されたジョブデータや申し込みをしたジョブに対する選定結果などが格納される。なお、これら項目は仕様に応じて適宜変更することができる。
【００４４】
図５は、ジョブＤＢ５０２のデータ構成の一例を示す図である。同図に示すように、ジョブＤＢ５０２は、勤務先企業のジョブデータを格納するジョブテーブル、勤務シフトを満たす可能性のある求職者の組合せを管理するための管理テーブル、求職者のジョブ申込要求を管理するためのジョブ申込テーブルを備える。
【００４５】
図５（Ａ）は、ジョブテーブルの構成の一例を示す図である。ジョブテーブルには、ジョブの基本情報（企業ＩＤ、職種、仕事内容、勤務日、人数、勤務時間、勤務地・・・スキル、ジョブ歴）と、ジョブに対する管理情報（ジョブ配信方法、管理ステータス）などの情報を格納する。勤務日には、任意の期間（６月１日〜１５日）、任意の日数（６月１日、６月４日、６月６日・・・）、任意の日時（６月１日午前６時〜午前１０時、６月２日午前１０時〜午後２時・・・）などが格納される。各レコードは、ジョブＩＤによって一意的に特定される。ジョブの基本情報には、ジョブ生成段階で勤務先企業端末３から送信されるジョブデータが格納され、ジョブ配信方法には、ジョブ配信段階で勤務先企業端末３から指定されたジョブ配信内容が格納され、管理ステータスには、ジョブのステータス（ジョブ配信、ジョブ確定、ジョブ稼動など）が格納される。
【００４６】
図５（Ｂ）は、組合せテーブルの構成の一例を示す図である。組合せテーブルには、求職者の検索結果に応じて特定される、勤務シフトを満たす可能性のある求職者の組合せに関する情報がジョブＩＤと対応付けて格納される。本実施形態では、勤務シフトを満たす可能性のある求職者の組合せを特定すると、各組合せに優先度を付与して管理している。例えば、組合せＩＤには「Ａ、Ｂ、Ｃ・・・」、組合せＩＤ毎に当該組合せに含まれる求職者の「求職者ＩＤ」には「Ａ＝０１，０３、Ｂ=０２，０７，０８、Ｃ=０４、１０、１２、１５・・・」、組合せに付与される「優先度」には「Ａ＝１、Ｂ＝２、Ｃ＝３」が、組合せ特定段階で格納される。一方、ジョブ配信状況、ジョブ申込状況、ジョブ確定状況は、ジョブの配信後確定までの各段階において格納される。例えば、ジョブ配信状況の内容を参照すれば、どの組合せについてジョブが配信されているかを把握することができる。
【００４７】
図５（Ｃ）は、ジョブ申込テーブルの構成の一例を示す図である。ジョブ申込テーブルには、勤務先企業が配信したジョブに対して求職者から送信されるジョブの申込要求をジョブＩＤと対応付けて格納する。ジョブ申込テーブルには、実際にジョブを申し込んだ求職者の稼動申込日が格納される。稼動申込日には、配信されたジョブについて、求職者がジョブの実行を希望する日時に関する日時情報が格納され、配信されたジョブの条件に従った任意の期間や日時が格納される。また、配信されたジョブが稼動申込日の指定を認めていない場合には、配信されたジョブにて指定された日時情報やＮＵＬＬデータ等が格納される。
【００４８】
図６は、移動情報を記憶する移動情報ＤＢ５０３について説明する。移動情報ＤＢ５０３は、例えば、出発地と目的地間の経路を記憶する経路テーブル（同図（Ａ）参照）と、出発地と目的地間の移動時間を交通手段ごとに記憶する時間テーブル（同図（Ｂ）参照）を備える。出発地と目的地間の移動時間および移動方法については、例えばカーナビゲーションシステムにおけて、出発地及び目的地の移動経路及び移動時間を特定する技術、鉄道の駅間の移動経路及び移動時間を特定する技術など、種々の周知の技術を適用することができる。なお、移動経路が予め特定の経路のみを許容する場合、求職者検索手段４０２は、経路テーブルから、勤務先企業の検索条件に含まれる勤務地を目的地、求職者の住所を出発地とした場合の目的地と出発地間の経路を取得し、取得した経路に従い時間テーブルを参照することにより、目的地と出発地間の移動時間の合計や移動方法を取得することができる。
【００４９】
（サーバ１における仲介処理の流れ）
以下、図７〜図１６を参照してサーバ１における仲介処理の流れについて説明する。図７は、仲介処理全体の流れを示すフローチャートである。図８は、求職者情報の登録処理および検索処理までの流れを示すフローチャートである。図９は、検索処理の詳細な流れを示すフローチャートである。図１０は、勤務先企業端末３に表示される検索結果画面の一例を示す図である。図１１は、ジョブ配信処理の流れを示すフローチャートである。図１２は、ジョブ確定処理の流れを示すフローチャートである。図１３は、勤務先企業端末３に表示される申込状況画面の一例を示す図である。図１４は、ジョブ確定処理、稼動管理処理及び給与処理の流れを示すフローチャートである。図１５は、ジョブ確定処理の他の流れを示すフローチャートである。図１６は、ジョブ確定処理の他の流れを示すフローチャートである。
なお、フローチャート中の各工程（符号が付与されていない部分的な工程を含む）は、処理内容に矛盾を生じない範囲で任意に順番を変更して又は並列に実行することができる。
【００５０】
図７を用いて、サーバ１による仲介処理全体の処理の流れを説明する。サーバ１は、求職者端末２および勤務先企業端末３から送信される各種指示に従って、求職者情報の登録処理（ＳＴＥＰ１０１）、求職者情報の検索処理（ＳＴＥＰ１０２）、ジョブ配信処理（ＳＴＥＰ１０３）、ジョブ申込処理（ＳＴＥＰ１０４）、ジョブ確定処理（ＳＴＥＰ１０５）、稼動管理処理（ＳＴＥＰ１０６）、給与処理（ＳＴＥＰ１０７）を実行する。
【００５１】
まず、図８を用いて求職者情報の登録処理と求職者情報の検索処理について説明する。
求職者端末２から送信される求職情報の登録要求を通信部６が受信すると（ＳＴＥＰ２０１のＹｅｓ）、制御部４は、求職者情報登録手段４０１に処理開始を指示する。求職者情報登録手段４０１は、求職者端末２へ、求職者情報の登録画面を送信する（ＳＴＥＰ２０２）。登録画面は、求職者の氏名や稼動可能日等を入力するための入力項目を備えた画面データである（図示せず）。
【００５２】
求職者端末２のブラウザは、画面データを受信すると、当該画面データを解析して登録画面の画像をディスプレイに表示する。求職者がマウスやキーボード等のユーザインタフェースを操作して各項目にデータを入力すると、求職者端末１は、項目名と入力データを対応付けて通信部６を介してサーバ１に送信する。
【００５３】
求職者情報登録手段４０１は、求職者端末２から基本情報（氏名、住所など）と稼動可能日を受信すると（ＳＴＥＰ２０３）、これらの情報を図４に示すような求職者ＤＢ５０１に格納する。
【００５４】
次に、勤務先企業端末３から送信される求職情報の検索要求を通信部６が受信すると（ＳＴＥＰ２０５のＹｅｓ）、制御部４は、求職者検索手段４０２に処理開始を指示する。求職者検索手段４０２は、勤務先企業端末３へ、検索条件入力画面を送信する（ＳＴＥＰ２０６）。検索条件入力画面は、勤務日や人数、勤務地、通勤時間等を入力するための検索項目を備えた画面データである（図示せず）。なお、検索項目には、求職者が登録した情報とマッチング可能な項目を設定することができ、例えば、図４に示す求職者ＤＢ５０１の項目（遅刻回数、勤怠歴、スキル、ジョブ歴）を設定することができる。
【００５５】
勤務先企業端末３のブラウザは、検索条件入力画面の画面データを受信すると、当該画面データを解析して検索条件入力画面の画像をディスプレイに表示する。勤務先企業がマウスやキーボード等のユーザインタフェースを操作して各項目に検索条件となるデータを入力すると、勤務先企業端末３は、項目名と入力データを対応付けて通信部６を介してサーバ１に送信する。
【００５６】
求職者検索手段４０２は、勤務先企業端末３から検索条件を受信すると（ＳＴＥＰ２０７）、求職者ＤＢ５０１から検索条件に一致する求職者を検索する検索処理を実行し（ＳＴＥＰ２０８）、勤務先企業端末３へ検索結果を送信する（ＳＴＥＰ２０９）。
【００５７】
次に、図９を参照しながら検索処理の詳細について説明する。
【００５８】
求職者検索手段４０２は、検索条件に基づいて求職者ＤＢ５０１を検索し、検索条件に一致する求職者を抽出する（ＳＴＥＰ３０１）。なお、検索条件中の勤務日については、求職者の稼動可能日が勤務先企業の勤務日の一部に一致すれば、検索条件に一致すると判断する。
【００５９】
求職者検索手段４０２は、各求職者の稼動可能日に基づいて勤務シフトを満たす可能性のある求職者の組合せを特定する（ＳＴＥＰ３０２）。例えば、求職者の稼動可能日は勤務日と部分一致で抽出されるため、複数の求職者が抽出されたからといって、勤務シフトを満たしているかどうかわからない。求職者の稼動可能日が勤務日の一部に重複して集中しているような場合には、勤務シフトを満たしていないことになりえるからである。勤務シフトは、勤務日と勤務日毎の勤務人数から構成される。例えば、勤務日が「５月１５日、１６日、１７日」、勤務人数が「１人ずつ」である場合には、「５月１５日（1人）、１６日（1人）、１７日（1人）」の３人日分の勤務シフトとなり、勤務日が「５月１５日、１６日、１７日」、勤務人数が「２人ずつ」、である場合には、勤務シフトは「５月１５日（２人）、１６日（２人）、１７日（２人）」の６人日分の勤務シフトとなる。なお、ここでは、勤務日に「５月１５日、１６日、１７日」、勤務人数に「１人ずつ」が設定されているものとする。
【００６０】
求職者検索手段４０２は、勤務シフトを満たす可能性のある求職者の組合せを特定した場合において（ＳＴＥＰ３０３のＹｅｓ）、組合せが複数存在する場合には、所定の条件に従って、求職者の組合せを並び替える（ＳＴＥＰ３０４）。所定の条件には、仕様に応じた内容を設定することができるが、例えば、組合せ人数が少ない順に並び替えるという条件を設定することが考えられる。
【００６１】
求職者検索手段４０２は、並び替えた順にこれら組み合わせに優先度を設定する（ＳＴＥＰ３０５）。例えば、組合せが３組、特定された場合には、組合せ人数が少ない順に「優先度１」「優先度２」「優先度３」を設定する。なお、本実施形態において設定された優先度は、後述するように、配信したジョブに対するジョブ申込要求を確定する際に参照される。求職者検索手段４０２は、各組み合わせと優先度を関連づけてジョブＤＢ５０２に格納する（ＳＴＥＰ３０６）。
【００６２】
求職者検索手段４０２は、勤務シフトと特定された組合せに基づいて、検索結果画面の画面データを生成する（ＳＴＥＰ３０７）。
【００６３】
図１０は、勤務先企業端末３に表示される検索結果画面の一例を示す図である。勤務先企業端末３のブラウザは検索結果画面の画面データを受信すると、当該画面データを解析し、図１０に示すような検索結果画面をディスプレイに表示する。同図に示す検索結果画面には、勤務先企業の勤務日と勤務人数からなる勤務シフト表と、勤務先企業の検索条件に一致する求職者のリスト情報と、勤務シフトを満たす可能性のある求職者の組合せが、それぞれ表示されている。
【００６４】
勤務先企業は、当該画面より、検索結果を勤務シフトとの関係で確認することができる。つまり、検索条件に合致する求職者Ａ〜Ｇを組合せパターン１〜４に従って組み合わせると、勤務シフトを満たす可能性が高いことを予想することができる。勤務シフトを満たす可能性が高いとは、現段階は求職者にジョブを配信する前段階であるため、実際に求職者がそのジョブに申し込みをするか否かわからず、求職者を確定することはできないものの、求職者がジョブに申し込みをすればそのまま勤務シフトを満たすことができるという意味である。
【００６５】
また、検索結果画面には、勤務先企業が各種指示を入力するためのオブジェクトとして個別配信１０１、一斉配信１０２、段階配信１０３、ジョブ生成１０４が表示されている。個別配信１０１は、勤務先企業が個別に選択した求職者にジョブを配信することをジョブ配信要求として指示するものである。一斉配信１０２は、全部の組合せに含まれる求職者にジョブを配信することをジョブ配信要求として指示するものである。段階配信１０３は、組合せ毎に順番に求職者にジョブを配信することをジョブ配信要求として指示するものである。なお、勤務先企業は、個別送信を希望する場合には、リスト情報から所望の求職者のチェック欄を指定して個別配信ボタン１０１を選択することができる。また、ジョブ生成１０４は、ジョブ生成要求を送信するためのものである。勤務先企業端末３は、勤務先企業の操作に応じた指示をサーバ１へ送信する。
【００６６】
なお、ＳＴＥＰ３０３において、求職者検索手段４０２は、勤務シフトを満たす可能性のある求職者の組合せを特定できない場合には（ＳＴＥＰ３０３のＮｏ）、検索条件の緩和処理を実行する（ＳＴＥＰ３０８）。具体的には、求職者検索手段４０２は、緩和対象として設定されている検索項目の現在の値を所定の緩和条件にしたがって変更する（ＳＴＥＰ３０９）。
【００６７】
どの検索項目を緩和対象として設定するかは、予め設定しておいてもよいし、勤務先企業が個別に指定するようにしてもよい。例えば、数値化されている項目については自動的に条件を緩和するように設定し、数値化されていない項目については勤務先企業が個別に条件を緩和するように指定することが考えられる。数値化されている項目とは、例えば、通勤時間や年齢、遅刻回数などが該当する。そして、通勤時間であれば１０分ずつ値を増加させるというように、各項目について自動的に値を緩和するように条件を設定しておく。一方、数値化されていない項目としては、例えば、資格や経験といったスキルの項目が該当する。勤務先企業は、勤務シフトを満たす可能性のある求職者が抽出されない場合、スキルとして設定した内容を修正することができる。
【００６８】
求職者検索手段４０２は、ＳＴＥＰ３０９にて検索条件が修正されると、修正後の検索条件に基づいて再度検索を実行する。
【００６９】
以上によれば、勤務先企業は、ジョブ打診前にジョブの条件に合致する求職者を検索することができるとともに、検索された求職者を勤務シフトとの関係で把握することができるようになる。
【００７０】
勤務先企業は、求職者の検索を終えると、ジョブデータの配信処理に移行する。図１１を参照して、サーバ１におけるジョブデータの配信処理を説明する。制御部４は、通信部６を介してジョブ生成要求を受信すると（ＳＴＥＰ４０１）、ジョブ配信手段４０３に処理開始を要求する。ジョブ配信手段４０３は、勤務先企業端末３へ所定のジョブ生成画面を送信する（ＳＴＥＰ４０２）。図示しないジョブ生成画面は、ジョブに関する各種情報を入力するための入力項目を備える。
【００７１】
勤務先企業端末３のブラウザは、ジョブ生成画面をディスプレイに表示する。勤務先企業がマウスやキーボード等のユーザインタフェースを操作して各項目にジョブ内容を特定するためのデータを入力すると、勤務先企業端末３は、項目名と入力データを対応付けて通信部６を介してサーバ１に送信する。
【００７２】
ジョブ配信手段４０３は、ジョブデータを受信すると（ＳＴＥＰ４０３）、受信したジョブデータにジョブIDを付与して図５（Ａ）に示すようなジョブデーブルに格納する（ＳＴＥＰ４０４）。また、ジョブデータと組合せを対応付けて管理するために組合せテーブルのデータにもジョブIDを格納する。
【００７３】
ジョブデータの生成を終えた勤務先企業は、所望の配信方法で生成したジョブを配信すべく、個別配信１０１、一斉配信１０２、段階配信１０３のいずれかを選択することによりジョブの配信方法を指定する。勤務先企業端末３は、配信方法の指定情報を含むジョブ配信要求をサーバ１に送信する。
【００７４】
ジョブ配信手段４０３は、ジョブ配信要求を受信すると（ＳＴＥＰ４０５のＹｅｓ）、指定情報に従ってジョブの配信方法を判断する（ＳＴＥＰ４０６）。本実施形態では、指定情報が条件１である場合には一斉送信、指定情報が条件２である場合には段階送信、指定情報が条件３である場合には個別送信と、設定されているものとする。
【００７５】
ジョブ配信手段４０３は、指定情報が条件１である場合には一斉送信と判断し（ＳＴＥＰ４０７）、ジョブＤＢの組合せテーブルから全ての組合せを選択する（ＳＴＥＰ４０８）
。そして、選択された組合せに含まれる求職者の求職者ＩＤを特定し、ジョブ配信先に設定する（ＳＴＥＰ４０９）。ジョブ配信手段４０３は、通信部６を介して設定された求職者の求職者端末２へジョブデータを配信する（ＳＴＥＰ４１０）。また、ジョブ配信手段４０３は、組合せテーブルのジョブ配信状況（図５（Ｂ）に、ジョブ配信済を示す値を選択された組合せの組合せＩＤと関連づけて格納する。
【００７６】
一方、ジョブ配信手段４０３は、指定情報が条件２である場合には段階送信と判断し（ＳＴＥＰ４１１）、ジョブＤＢの組合せテーブルから優先度の高い順に組合せを選択する（ＳＴＥＰ４１２）。ジョブ配信が1回目である場合には、最も高い優先度の組合せが選択される。そして、選択された組合せに含まれる求職者の求職者ＩＤを特定し、ジョブ配信先に設定し（ＳＴＥＰ４０９）、設定された求職者の求職者端末２へジョブデータを配信する（ＳＴＥＰ４１０）。また、ジョブ配信手段４０３は、組合せテーブルのジョブ配信状況（図５（Ｂ）に、ジョブ配信済を示す値を選択された組合せの組合せＩＤと関連づけて格納する。
【００７７】
一方、ジョブ配信手段４０３は、指定情報が条件３である場合には個別送信と判断し（ＳＴＥＰ４１３）、ジョブ配信条件の指定情報から求職者ＩＤを特定し、ジョブ配信先に設定する（ＳＴＥＰ４１４）。そして、設定された求職者の求職者端末２へジョブデータを配信する（ＳＴＥＰ４１０）。
【００７８】
以上によれば、勤務先企業の所望した配信方法でジョブを求職者へ配信することができる。また、勤務シフトを満たす可能性のある求職者に対してジョブデータを配信することができるので、ジョブデータの乱発送信や勤務シフトを満たす可能性の低い求職者に対するジョブデータの配信を抑えることができるようになる。
【００７９】
求職者端末２のブラウザは、ジョブデータを受信すると、ジョブの内容をディスプレイに表示する（図示せず）。求職者は、表示されたジョブの内容を見て当該ジョブを申し込むか否か検討し、申し込むとした場合には、ユーザインタフェースを操作して当該ジョブに対する稼動申込日を設定して申込要求を入力することができる。求職者端末２は、ジョブＩＤを含むジョブ申込要求をサーバ１に送信する。
【００８０】
図１２は、ジョブ確定処理の流れを示すフローチャートである。サーバ１の制御部４は、求職者端末２からジョブ申込要求を受信すると（ＳＴＥＰ５０１のＹｅｓ）、ジョブ確定手段４０６に処理開始を通知する。
【００８１】
ジョブ確定手段４０６は、ジョブ配信要件に従いジョブ申込要求の締め切り前か否かを判断し（ＳＴＥＰ５０２）、締め切り前である場合には、ジョブ申込要求をジョブＩＤに従いジョブＤＢ５０２に格納する（ＳＴＥＰ５０３）。締め切り後である場合には、ジョブ確定処理に移行する。
【００８２】
ジョブ確定手段４０６は、ジョブ配信方法に応じてジョブ確定処理を選択する。上述したように、本実施形態では、指定情報が条件１は一斉送信、条件２は段階送信、条件３は個別送信と設定されている。
【００８３】
ジョブ確定手段４０６は、指定情報が条件１である場合には一斉送信と判断し（ＳＴＥＰ５０５）、一斉送信に基づく確定処理を実行する。また、ジョブ確定手段４０６は、指定情報が条件２である場合には段階送信と判断し（ＳＴＥＰ５１４）、段階送信に基づく確定処理を実行する。また、ジョブ確定手段４０６は、指定情報が条件３である場合には個別送信と判断し（ＳＴＥＰ５１５）、個別送信に基づく確定処理を実行する。まず、一斉送信に基づく確定処理について説明し、他の処理については後述する。
【００８４】
ジョブＤＢからジョブ申込要求を読み出して、優先度に従い組合せ単位で並び替える（ＳＴＥＰ５０６）。そして、優先度に従い、勤務シフトを満たす組み合わせの存在の有無を判断する（ＳＴＥＰ５０７）。
【００８５】
図１０の例では、パターン１〜４が特定されているので、これらパターンに含まれる各求職者に対してジョブが配信されている。よって、優先度に従いパターン１から４の順番に、各パターン（求職者）が勤務シフトを満たすか否かを判断する。例えば、各求職者が、求職者情報ＤＢ５０１に登録した稼動可能日と同じ日程をジョブ申込要求において稼動申込日に指定した場合には、優先度がもっとも高いパターン１の求職者Ａにジョブが確定する。一方、パターン１の求職者が、求職者情報ＤＢ５０１に登録した稼動可能日と同じ日程をジョブ申込要求において稼動申込日に指定しなかった場合やジョブ申込要求を行わなかった場合には、パターン１は勤務シフトを満たさないものとして、次に優先度の高いパターン２を検討し、このように順次検討を行う。
【００８６】
ジョブ確定手段４０６は、勤務シフトを満たす組み合わせが存在すると判断した場合は（ＳＴＥＰ５０８）、ジョブ申込要求を当該組み合わせに従って表示するように申込状況画面を生成する（ＳＴＥＰ５１１）。
【００８７】
一方、ジョブ確定手段４０６は、勤務シフトを満たす組み合わせが存在しないと判断した場合（パターン１〜４が全て勤務シフトを満たさない場合）は、パターン別の判断をやめて、ジョブ申込要求における各求職者の稼動申込日に基づいて勤務シフトを満たす組合せを特定する（ＳＴＥＰ５０９）。そして、勤務シフトを満たす組み合わせが存在する場合には、ジョブ申込要求を当該組み合わせに従って表示するように申込状況画面を生成する（ＳＴＥＰ５１１）。しかし、勤務シフトを満たす組み合わせが存在しない場合には、勤務シフトを満たす率の高い組合せに従い、申込状況画面を生成する（ＳＴＥＰ５１２）。
【００８８】
勤務シフトを満たす組み合わせとは、例えば、組合せパターンを越えて組合せが成立する場合であり、５月１５日は「求職者Ｃ（パターン１）」、１６日は「求職者Ｆ（パターン４）」、１７日は「求職者Ｇ（パターン４）」の組合せが成立する場合である。また、勤務シフトを満たす率の高い組合とは、例えば、５月１５日は「求職者Ｃ（パターン１）」、１６日は「求職者Ｆ（パターン４）」、１７日は「なし」という組合せである。
【００８９】
そして、ジョブ確定手段４０６は、勤務先企業端末３へ申込状況画面を送信する（ＳＴＥＰ５１３）。
【００９０】
図１３は、勤務先企業端末３に表示される申込状況画面の一例を示す図である。勤務先企業端末３は、申込状況画面の画面データを受信するとこれを解析し、同図に示すような申込状況画面をディスプレイに表示する。申込状況画面は、勤務シフトを満たすジョブ申込要求の組合せと、受信したジョブ申込要求の詳細をパターン毎に表示している。
【００９１】
ここでは、ジョブ配信前の段階ではパターン１〜３が勤務シフトを満たしていたが、ジョブ申込要求の段階ではパターン３のみが勤務シフトを満たしていることがわかる。これは、求職者情報ＤＢ５０１には、求職者ＡおよびＢともに５月１５日〜１７日を稼動可能日として登録していたが、実際のジョブ申込要求では、ともに５月１７日が稼動申込日からはずされたためである。その結果、パターン３が勤務シフトを満たす組合せとして表示されている。
【００９２】
当該表示によれば、ジョブ申込要求の結果が勤務シフトを満たす形態で表示されているので、勤務先企業は、自らジョブ申込要求の稼動申込日と勤務シフトを比較して勤務シフトを満たしているかどうか確認する作業や、勤務シフトを満たすように各ジョブ申込要求を整理する必要がない。特別な問題がなければ、勤務先企業は、ジョブ確定９４を選択することによりジョブ確定の指示を入力することができる。勤務先企業端末３は、ジョブ確定９４が選択されると、勤務シフトを満たすジョブ申込要求の組合せ（図１３ではパターン３）を確定する旨をサーバ１に送信する。
【００９３】
なお、勤務シフトが完全に満たされていない場合には、勤務先企業は、ジョブ確定９４を選択することにより勤務シフトの満たされている部分についてジョブ確定の指示を入力することができるとともに、ジョブ再配信９３を選択することにより勤務シフトの満たされていない部分について再度ジョブを配信するよう指示することができる。
【００９４】
次に、勤務先企業は、ジョブの確定処理に移行する。
【００９５】
図１４は、ジョブ確定処理、稼動管理処理及び給与処理の流れを示すフローチャートである。ジョブ確定手段４０６は、勤務先企業端末３からジョブ確定要求を受信すると（ＳＴＥＰ６０１）、勤務シフトを全部または一部満たしている求職者のジョブが確定した旨をジョブＤＢ５０２に格納する（ＳＴＥＰ６０２）。
【００９６】
そして、ジョブ確定の有無に基づくジョブ確定の結果を求職者の求職者端末２へ送信する（ＳＴＥＰ６０３）。ジョブ確定の有無に基づくジョブ確定の結果とは、ジョブが確定した場合には、ジョブ確定の旨とジョブの稼動に関する情報であり、ジョブが確定しなかった場合には、選定されなかった旨である。
【００９７】
その後、サーバ１の稼動報告手段４０７が、求職者の携帯端末から稼動状況報告を受信すると（ＳＴＥＰ６０４）、稼動確認手段４０８が、稼動状況に応じた稼動確認結果をジョブＤＢ５０２に格納する（ＳＴＥＰ６０５）。稼動報告手段４０７と稼動確認手段４０８は、稼動終了まで稼動状況の確認を行い、稼動報告手段４０７が稼動終了報告を受信し、稼動確認手段４０８がこれを確認すると、稼動終了と判断する。
【００９８】
稼動が終了すると、給与支払手段４０９が起動され、給与支払手段４０９は、稼動時間とジョブＤＢ５０１の料金などに応じて給与を計算し、計算結果をジョブＩＤおよび求職者ＩＤと対応付けてジョブＤＢ５０２に格納する（ＳＴＥＰ６０７）。給与支払手段４０９は、計算結果に基づく給与支払指示を所定の給与管理システムへ送信する（ＳＴＥＰ６０８）。図示しない所定の給与管理システムは、給与支払指示に基づいて給与を求職者の口座へ振り込むように処理を実行する。
【００９９】
給与受取手段４１０は、給与処理結果を求職者端末２へ送信する（ＳＴＥＰ６０９）。
【０１００】
次に、図１２のＳＴＥＰ５０４において指定情報が条件２（段階送信）であると判断した場合の処理について説明する。ジョブ確定手段４０６は、ジョブＤＢからジョブ申込要求を読み出して（ＳＴＥＰ７０１）、ジョブ申込要求で指定されている求職者の稼動可能日が勤務シフトを満たすか否かを判断する（ＳＴＥＰ７０２）。
【０１０１】
勤務シフトを満たさない場合には（ＳＴＥＰ７０３のＹｅｓ）、保留中のジョブ申込要求がジョブＤＢ５０２に格納されているか否かを確認し（ＳＴＥＰ７０４）、格納されている場合には、ジョブＤＢ５０２から保留中のジョブ申込要求を取得する（ＳＴＥＰ７０５）。
【０１０２】
そして、今回受信したジョブ申込要求と保留中のジョブ申込要求の双方の稼動可能日の組合せが勤務シフトを満たすか否かを判断し（ＳＴＥＰ７０７）、満たす場合には、勤務シフトを満たすジョブ申込要求の組合せを表示するための申込状況画面の画面データを生成する（ＳＴＥＰ７０８）。
【０１０３】
一方、ＳＴＥＰ７０４にて保留中のジョブ申込要求がない場合には（ＳＴＥＰ７０４のＮｏ）、次候補（次のパターン）が存在するかどうか判断し（ＳＴＥＰ７１１）、存在する場合には（ＳＴＥＰ７１１のＹｅｓ）、今回のジョブ申込要求を保留としてジョブＤＢ５０２に格納する（ＳＴＥＰ７１３）。ジョブ申込要求の保留は、組合せテーブルのジョブ確定状況に組合せＩＤと対応付けて保留を示す値を格納することにより行うことができる。
【０１０４】
そして、ジョブ配信条件に次候補を設定し（ＳＴＥＰ７１４）、次候補のジョブ配信処理を実行する（ＳＴＥＰ７１５）。次候補のジョブ配信処理は、次候補となる組合せＩＤを組合テーブルから特定した後、特定した組合せＩＤに関連する求職者の求職者ＩＤを特定して、当該特定した求職者ＩＤの求職者をジョブ配信先として設定することにより行う。
【０１０５】
一方、ＳＴＥＰ７０７にて次候補が存在しない場合には（ＳＴＥＰ７１１のＮｏ）、勤務シフトを満たす確率の高いジョブ申込要求の組合せを表示するための申込状況画面の画面データを生成する（ＳＴＥＰ７１２）。
【０１０６】
また、図１２のＳＴＥＰ５０４において指定情報が条件３（個別送信）であると判断した場合の処理について説明する。ジョブ確定手段４０６は、ジョブＤＢからジョブ申込要求を読み出して、リスト形式で表示するための申込状況画面の画面データを生成する（ＳＴＥＰ８０１）。そして、勤務先企業端末３へ申込状況画面の画面データを送信する（ＳＴＥＰ８０２）。
【０１０７】
以上、本実施形態によれば、勤務先企業は、勤務条件に合致する求職者をジョブ配信の前に把握することができるとともに、勤務シフトを満たす可能性のある組合せ単位で求職者を把握してジョブを送信することができるようになる。よって、どの求職者にジョブを配信すればよいか、どれだけジョブを配信すればよいかという勤務先企業の判断作業が不要になり、ジョブ配信にかかる勤務先企業の作業を軽減することができるようになる。
【０１０８】
また、本実施形態によれば、勤務先企業は、ジョブ配信の結果を、勤務シフトを満たす組合せ単位で把握することができるようになるので、求職者の申込み状況に応じて勤務シフトを調整する作業を自ら行う必要がなくなる。その結果、ジョブ確定にかかる勤務先企業の作業を軽減することができるようになる。
【０１０９】
（その他の実施形態）
本発明は上記実施形態に限定されることなく、種々に変形して適用することが可能である。たとえば、上記実施形態では、勤務先企業のシフト調整作業の軽減について記載したが、求職者のシフト調整作業を軽減するように構成することもできる。
【０１１０】
求職者は、所定期間について（たとえば２月）稼動可能日を登録することができるところ、求職者が登録した稼動可能日に一致するジョブが複数ある場合には、これら複数のジョブについてジョブ申込をすることができる。しかし、ジョブの勤務日が全部または一部重複しているような場合には、求職者は、ジョブと稼動可能日との組合せ（求職者にとっても稼動シフト）を自分で調整しなければならず、ジョブが複数ある場合には、これらか同シフトの調整作業が負担になりえる。
【０１１１】
よって、ジョブ申込手段は、求職者が自身に配信されたジョブを閲覧する場合に、求職者の可動可能日を満たす可能性のあるジョブの組合せを特定し、ジョブデータをこの組合せ単位で表示することが望ましい
さらには、公開されたネットワークを介して運用される場合を例に説明したが、例えば請負業者が社内の人材を調達する場合など、イントラネット等の閉ざされたネットワークやスタンドアロンで本発明を実施することもできる。
【図面の簡単な説明】
【０１１２】
【図１】仲介システムの概略構成を示すブロックダイアグラムである。
【図２】サーバの機能構成図を示すブロック図である。
【図３】サーバのハードウェア構成を示すブロック図である。
【図４】本実施形態に係る求職者ＤＢのデータ構成の一例を示す図である。
【図５】本実施形態に係るジョブＤＢのデータ構成の一例を示す図である。
【図６】本実施形態に係る移動情報ＤＢのデータ構成の一例を示す図である。
【図７】仲介処理全体の流れを示すフローチャートである。
【図８】求職者情報の登録処理および検索処理までの流れを示すフローチャートである。
【図９】検索処理の詳細な流れを示すフローチャートである。
【図１０】勤務先企業端末３に表示される検索結果画面の一例を示す図である。
【図１１】ジョブ配信処理の流れを示すフローチャートである。
【図１２】ジョブ確定処理の流れを示すフローチャートである。
【図１３】勤務先企業端末３に表示される申込状況画面の一例を示す図である。
【図１４】ジョブ確定処理、稼動管理処理及び給与処理の流れを示すフローチャートである。
【図１５】ジョブ確定処理の他の流れを示すフローチャートである。
【図１６】ジョブ確定処理の他の流れを示すフローチャートである。
【符号の説明】
【０１１３】
１  求職者端末
２  勤務先企業端末
３  サーバ
１００  仲介システム
【図１】
2005222333.tif 000003
【図２】
2005222333.tif 000004
【図３】
2005222333.tif 000005
【図４】
2005222333.tif 000006
【図５】
2005222333.tif 000007
【図６】
2005222333.tif 000008
【図７】
2005222333.tif 000009
【図８】
2005222333.tif 000010
【図９】
2005222333.tif 000011
【図１０】
2005222333.tif 000012
【図１１】
2005222333.tif 000013
【図１２】
2005222333.tif 000014
【図１３】
2005222333.tif 000015
【図１４】
2005222333.tif 000016
【図１５】
2005222333.tif 000017
【図１６】
2005222333.tif 000018